(57)【要約】      （修正有）【課題】複数の反射ミラーを有するミラー装置、及びミラー装置を有する光源装置において、各反射ミラーによる反射光の進行方向にバラつきが生じることを抑制する。【解決手段】ミラー装置１３は、複数の反射ミラー１５と、複数の反射ミラー１５が載置されるミラー支持体１７と、複数の反射ミラー１５のそれぞれとミラー支持体１７とを固定する複数の固定部材１９と、を有する。ミラー支持体１７は、所定の方向に相互に離間して配置された複数のミラー載置部と、所定の方向に隣り合う２つのミラー載置部を連結する複数の連結部とを含む。反射ミラー１５は、ミラー載置部の上面に載置される。ミラー載置部は、反射ミラー１５の反射面１５Ａに直交する方向に関し、連結部の厚みよりも薄い厚みを有する端部を含む。固定部材１９は、ミラー載置部の端部と、反射ミラー１５のうち、ミラー載置部の端部に載置された領域との双方を挟む。【選択図】図２
2017156422.tif 000002
【特許請求の範囲】
【請求項１】
複数の反射ミラーと、
複数の前記反射ミラーが載置されるミラー支持体と、
複数の前記反射ミラーのそれぞれと前記ミラー支持体とを固定する複数の固定部材と、を有し、
前記ミラー支持体は、
所定の方向に相互に離間して配置された複数のミラー載置部と、前記所定の方向に隣り合う２つの前記ミラー載置部を連結する複数の連結部とを含み、
前記反射ミラーは、前記ミラー載置部の上面に載置され、
前記ミラー載置部は、前記ミラー支持体を前記反射ミラーの前記反射面に直交する方向からみたとき、前記反射ミラーが離間する方向と直交する方向における両端のうちの少なくとも一方の端部において、前記反射ミラーの反射面に直交する方向に関し、前記連結部の厚みよりも薄い厚みを有し、
前記固定部材は、前記ミラー載置部の前記端部と、前記反射ミラーのうち、前記ミラー載置部の前記端部に載置された領域との双方を挟むことを特徴とするミラー装置。
【請求項２】
前記ミラー載置部の前記端部は、前記反射ミラーが載置される前記上面とは反対側に、前記反射ミラーの前記反射面に平行な背面を含み、
前記固定部材は、前記反射ミラーの前記反射面と、前記ミラー載置部の前記背面とに接触するように前記反射ミラー及び前記ミラー載置部を挟むことを特徴とする請求項１に記載のミラー装置。
【請求項３】
前記ミラー載置部の前記端部は、前記ミラー支持体を前記反射ミラーの前記反射面に直交する方向からみたとき、前記反射ミラーが離間する方向と直交する方向に関し、前記連結部から突出するように形成されていることを特徴とする請求項１又は２に記載のミラー装置。
【請求項４】
前記固定部材は、前記ミラー支持体を前記反射ミラーの前記反射面に直交する方向からみたとき、隣り合う二つの前記反射ミラーの前記反射面の間に設置されていることを特徴とする請求項３に記載のミラー装置。
【請求項５】
前記ミラー載置部は、前記ミラー支持体を前記反射ミラーの前記反射面に直交する方向からみたとき、前記反射ミラーが離間する方向と直交する方向に関し、前記連結部と同じであるか、又は前記連結部に比べて短い幅を有することを特徴とする請求項１又は２に記載のミラー装置。
【請求項６】
請求項１〜５のいずれかに記載のミラー装置と、
前記ミラー装置における前記反射ミラーの前記反射面に向かって、光を出射する光源部と、を有することを特徴とする光源装置。
【発明の詳細な説明】
【技術分野】
【０００１】
本発明は、ミラー装置及び当該ミラー装置を有する光源装置に関する。
【背景技術】
【０００２】
従来、複数の半導体レーザ素子等の半導体発光素子を光源として用い、当該光源からの出射光の光軸上に複数の反射ミラーを配置した光源装置が知られている。
【０００３】
このような光源装置において、出射光の光軸に平行な方向及び垂直な方向に関し各反射ミラーの位置をずらして配置することで、出射光の間隔よりも狭い間隔で当該出射光を反射させる技術がある（例えば特許文献１）。
【０００４】
この技術によれば、出射光の間隔に比べて反射光の間隔を狭めることができるため、反射光を集光するレンズを小さくすることができ、光源装置の小型化が可能になるという利点がある。
【先行技術文献】
【特許文献】
【０００５】
【特許文献１】特開２０１１−７６７８１号公報
【発明の概要】
【発明が解決しようとする課題】
【０００６】
特許文献１の技術では、光源装置は、各反射ミラーが所望の位置に配置されるよう階段形状に構成されたミラー支持体を備える。
【０００７】
ここで、本発明者の鋭意研究によれば、特許文献１の技術では、各反射ミラーによる反射光の進行方向にバラつきが生じることが分かった。
【０００８】
反射光の進行方向にバラつきが生じると、反射光は、集光レンズに向かって非平行の状態で進行する。そのため、特許文献１の技術では、集光レンズが反射光を集光しきれず、反射光の利用効率が悪化し、光源装置の出力が低下する、という問題があった。
【０００９】
本発明は、複数の反射ミラー及びミラー支持体を有するミラー装置、及び当該ミラー装置を有する光源装置において、各反射ミラーによる反射光の進行方向にバラつきが生じることを抑制し、反射光の利用効率の悪化や光源装置の出力低下を抑制できる技術を提供することを目的とする。
【課題を解決するための手段】
【００１０】
本発明者は、特許文献１の技術において、各反射ミラーによる反射光の進行方向にバラつきが生じる理由を以下のように考察している。
【００１１】
特許文献１の技術では、各反射ミラーは、接着剤を利用してミラー支持体上に接着される。即ち、反射ミラーとミラー支持体との間には、接着剤の層（以下、接着剤層）が介在している。ここで、接着剤は粘性を有するため、反射ミラーごとに同量の接着剤をミラー支持体に塗布することは極めて難しい。そのため、ミラー支持体に載置される接着剤の量が、反射ミラーによって異なる虞がある。即ち、反射ミラーによって異なる量の接着剤でミラー支持体上に接着される虞がある。
【００１２】
また、特許文献１の技術では、ミラー支持体に接着剤を塗布した後、反射ミラー及びミラー支持体のそれぞれを相互に押さえ付けて接着剤を一面に拡げる。ここで、接着剤に力が均等に加わらず、比較的大きな力を加えられる領域と、比較的小さな力を加えられる領域とが混在する虞がある。接着剤に比較的大きな力を加えられると、接着剤層は薄く拡がる。一方、接着剤に比較的小さな力を加えられると、接着剤層は拡がらずに大きな厚みを持つ。
【００１３】
このように、特許文献１の技術では、ミラー支持体に塗布された接着剤が、一定の厚みを有して拡がらず、接着剤層の厚みがバラつく虞があった。本発明者は、接着剤層の厚みのバラつきにより、反射ミラーによって異なる傾斜を有してミラー支持体上に接着された結果、各反射ミラーによる反射光の進行方向にバラつきが生じたものと考察した。
【００１４】
上記に鑑み、本発明者は、各反射ミラーをミラー支持体に固定する方法として、接着剤を使用するのではなく、何らかの部材を使用して機械的に固定することを見出した。しかし、特許文献１に開示されるようなミラー支持体に反射ミラーを機械的に固定することは、ミラー支持体の構造上、極めて困難であった。そこで、本発明者は、鋭意研究の結果、本発明をするに到った。
【００１５】
即ち、本発明のミラー装置は、
複数の反射ミラーと、
複数の前記反射ミラーが載置されるミラー支持体と、
複数の前記反射ミラーのそれぞれと前記ミラー支持体とを固定する複数の固定部材と、を有し、
前記ミラー支持体は、
所定の方向に相互に離間して配置された複数のミラー載置部と、前記所定の方向に隣り合う２つの前記ミラー載置部を連結する複数の連結部とを含み、
前記反射ミラーは、前記ミラー載置部の上面に載置され、
前記ミラー載置部は、前記ミラー支持体を前記反射ミラーの前記反射面に直交する方向からみたとき、前記反射ミラーが離間する方向と直交する方向における両端のうちの少なくとも一方の端部において、前記反射ミラーの反射面に直交する方向に関し、前記連結部の厚みよりも薄い厚みを有し、
前記固定部材は、前記ミラー載置部の前記端部と、前記反射ミラーのうち、前記ミラー載置部の前記端部に載置された領域との双方を挟むことを特徴とする。
【００１６】
上記構成によれば、ミラー装置は、複数の反射ミラーのそれぞれとミラー支持体とを固定する複数の固定部材を有する。これにより、接着剤を使用することなく固定部材を使用して、反射ミラーをミラー支持体に固定可能となる。これにより、各反射ミラーが非平行の状態でミラー支持体に支持されることを抑制でき、反射光の利用効率の悪化や光源装置の出力低下を抑制できる。
【００１７】
また、上記構成によれば、ミラー支持体のうち、ミラーが載置されるミラー載置部には、連結部の厚みに比べて薄い厚みを持つ端部が形成される。これにより、固定部材は、ミラー載置部のうち、比較的厚みが小さい当該端部を挟むことが可能となる。即ち、固定部材により挟みやすいミラー支持体を提供できる。
【００１８】
上記構成において、
前記ミラー載置部の前記端部は、前記反射ミラーが載置される前記上面とは反対側に、前記反射ミラーの前記反射面に平行な背面を含み、
前記固定部材は、前記反射ミラーの前記反射面と、前記ミラー載置部の前記背面とに接触するように前記反射ミラー及び前記ミラー載置部を挟むものとしても構わない。
【００１９】
上記構成によれば、ミラー載置部の端部は、反射ミラーの反射面に平行な背面を含む。これにより、固定部材は、平行な二つの面である反射面及び背面に接触するように、反射ミラー及びミラー支持体を挟むことが可能となる。即ち、固定部材により挟みやすいミラー支持体を提供できる。また、固定部材は、反射ミラーをより安定的にミラー支持体に固定できる。
【００２０】
上記構成において、
前記ミラー載置部の前記端部は、前記ミラー支持体を前記反射ミラーの前記反射面に直交する方向からみたとき、前記反射ミラーが離間する方向と直交する方向に関し、前記連結部から突出するように形成されているものとしても構わない。
【００２１】
上記構成によれば、ミラー載置部の端部は、連結部から突出するように形成される。これにより、固定部材は、ミラー載置部のうち突出した当該端部を挟むことが可能となる。即ち、固定部材により挟みやすいミラー支持体を提供できる。
【００２２】
上記構成において、
前記固定部材は、前記ミラー支持体を前記反射ミラーの前記反射面に直交する方向からみたとき、隣り合う二つの前記反射ミラーの前記反射面の間に設置されているものとしても構わない。
【００２３】
上記構成によれば、固定部材は隣り合う二つの反射ミラーの反射面の間に設置される。これにより、ミラー装置の全体が占めるスペースの拡大化を抑制できる。
【００２４】
上記構成において、
前記ミラー載置部は、前記ミラー支持体を前記反射ミラーの前記反射面に直交する方向からみたとき、前記反射ミラーが離間する方向と直交する方向に関し、前記連結部と同じであるか、又は前記連結部に比べて短い幅を有するものとしても構わない。
【００２５】
上記構成によれば、ミラー載置部は、連結部と同じであるか、又は連結部に比べて短い幅を有する。これにより、ミラー載置部の端部を連結部から突出しないように内側に形成することができる。
【００２６】
上記構成において、
前記ミラー装置における前記反射ミラーの前記反射面に向かって、光を出射する光源部と、を有する光源装置としても構わない。
【発明の効果】
【００２７】
本発明によれば、複数の反射ミラー及びミラー支持体を有するミラー装置、及び当該ミラー装置を有する光源装置において、各反射ミラーによる反射光の進行方向にバラつきが生じることを抑制し、反射光の利用効率の悪化や光源装置の出力低下を抑制できる。
【図面の簡単な説明】
【００２８】
【図１】本発明の実施形態である光源装置を模式的に示す図である。
【図２】本発明の第一実施形態であるミラー装置を模式的に示す全体斜視図である。
【図３】本発明の第一実施形態であるミラー支持体を模式的に示す全体斜視図である。
【図４】本発明の第一実施形態であるミラー支持体の模式的な−ｘ方向視図である。
【図５】本発明の第二実施形態であるミラー装置を模式的に示す全体斜視図である。
【図６】本発明の第二実施形態であるミラー支持体を模式的に示す全体斜視図である。
【図７】本発明の第二実施形態であるミラー支持体の模式的な−ｘ方向視図である。
【発明を実施するための形態】
【００２９】
本発明のミラー装置及び光源装置につき、図面を参照して説明する。なお、各図において図面の寸法比と実際の寸法比は必ずしも一致しない。
【００３０】
（第一実施形態）
以下、第一実施形態について説明する。
【００３１】
［光源装置の構成］
図１に示すように、光源装置１は、光源部１１、ミラー装置１３を備える。
【００３２】
光源部１１は、レーザ光を出射する複数の半導体レーザ素子１１ａ、及び、半導体レーザ素子１１ａからのレーザ光を平行光に変換する複数のコリメータレンズ１１ｂを含む。以下では、半導体レーザ素子１１ａからのレーザ光を出射光Ｌ１と呼ぶ。
【００３３】
半導体レーザ素子１１ａは、行及び列をなして配列される。列方向は、図１における紙面鉛直方向であり、行方向は、当該列方向及び出射光Ｌ１の光軸に直交する方向（紙面左右方向）である。第一実施形態では、一例として、４行６列に半導体レーザ素子１１ａが配列されている。また、第一実施形態では、半導体レーザ素子１１ａは、青色光（例えば、波長が４３０〜４７０ｎｍの光）を発している。なお、光源部１１は、青色光と異なる波長帯の光を発する半導体レーザ素子により構成されても構わないし、ＬＥＤ素子により構成されても構わないし、他の固体光源素子により構成されていても構わない。
【００３４】
コリメータレンズ１１ｂは、各半導体レーザ素子１１ａからの出射光Ｌ１の光軸上に配置される。即ち、コリメータレンズ１１ｂは、半導体レーザ素子１１ａと同数配置されている。なお、光源部１１は、コリメータレンズ１１ｂを備えないものとしても構わない。
【００３５】
ミラー装置１３は、複数の反射ミラー１５を有する。なお、図１では図示を省略しているが、ミラー装置１３は、複数の反射ミラー１５が載置されるミラー支持体、及び、固定部材をさらに備える。ミラー支持体及び固定部材については後述する。
【００３６】
反射ミラー１５は、反射面１５Ａを含む。反射ミラー１５は、コリメータレンズ１１ｂにより平行化された出射光Ｌ１を反射して反射光Ｌ２にする。反射光Ｌ２は、集光レンズ１６により集光され、必要に応じて種々の光学系を介して光源装置１の外部へ出射される。
【００３７】
反射ミラー１５は、半導体レーザ素子１１ａの列数と同数存在する。即ち、同じ列に存在する半導体レーザ素子１１ａは、同一の反射ミラー１５によって反射されるようになっている。第一実施形態では、６列の半導体レーザ素子１１ａが配置されており、６個の反射ミラー１５が配置されている。なお、反射ミラー１５は、一例として、ガラスからなる基板の表面に高い反射特性を有する金属膜または誘電体多層膜を蒸着したものである。
【００３８】
［ミラー装置の構成］
続いて、ミラー装置１３について、図２を参照して説明する。図２は、第一実施形態のミラー装置１３を模式的に示す全体斜視図である。なお、図２では、各反射ミラー１５の反射面１５Ａに斜線を付している。
【００３９】
図２に示すように、反射ミラー１５は、直方体の形状をなす。図２以降において、反射ミラー１５の長手方向をｘ方向、短手方向をｚ方向、ｘ方向及びｚ方向に直交する方向をｙ方向としている。
【００４０】
上述のように、ミラー装置１３は、複数の反射ミラー１５（第一実施形態では６個）と、ミラー支持体１７と、複数の固定部材１９（第一実施形態では１２個）とを有する。
【００４１】
ミラー支持体１７は、各反射ミラー１５を平行に支持する。ミラー支持体１７は、出射光Ｌ１に対して反射ミラー１５の反射面１５Ａの法線方向が一定の角度θ（図１参照）をなすように反射ミラー１５を支持する。第一実施形態では、一例として、ミラー支持体１７は６個の反射ミラー１５を、角度θが４５度となるように支持する。
【００４２】
また、ミラー支持体１７は、各反射ミラー１５を、出射光Ｌ１を反射可能な位置であって、かつ、反射光Ｌ２の間隔が出射光Ｌ１の間隔よりも狭くなるような位置に支持する。なお、ミラー支持体は、一例としてアルミ合金等の金属からなり、ＮＣフライス盤やマシンニングセンタ等の周知の工作機械を用いた金属加工によって製造される。
【００４３】
固定部材１９は、複数の反射ミラー１５のそれぞれとミラー支持体１７とを固定する。固定部材１９は、一例として、ＳＵＳ３０１−ＣＳＰからなるクリップである。図２に示すように、固定部材１９は、反射ミラー１５のｘ方向（即ち、反射ミラー１５の長手方向）における両端と、ミラー支持体１７のｘ方向（即ち、反射ミラー１５の長手方向）における両端とを挟む。即ち、第一実施形態では、１個の反射ミラー１５は、２個の固定部材１９によってミラー支持体１７上に固定される。
【００４４】
また、固定部材１９は、ミラー支持体１７を反射面１５Ａに直交する方向（図２では、−ｙ方向）からみたとき、隣り合う二つの反射ミラー１５の反射面１５Ａの間に設置されている。
【００４５】
［ミラー支持体］
続いて、ミラー支持体１７について、図３及び図４を参照して説明する。図３は、第一実施形態のミラー支持体１７を模式的に示す全体斜視図である。
【００４６】
ミラー支持体１７は、反射ミラー１５を載置される上面１７Ａを含む。上面１７Ａは、ｘ−ｚ平面と平行である。即ち、上面１７Ａは、図示しない反射ミラー１５の反射面１５Ａと平行な面であり、反射ミラー１５と接する面である。ミラー支持体１７は、反射ミラー１５と同数（第一実施形態では、６個）の上面１７Ａを含む。
【００４７】
また、ミラー支持体１７は、上面１７Ａの反対側（即ち、−ｙ方向側）に、上面１７Ａに平行な背面１７Ｂを含む。第一実施形態では、背面１７Ｂは、ミラー支持体１７のｘ方向（即ち、反射ミラー１５の長手方向）における両端に形成される。即ち、第一実施形態では、１つの上面１７Ａに対し、２つの背面１７Ｂが形成される。
【００４８】
なお、図３では、上面１７Ａに斜線を付している。また、図３では、ｙ−ｚ平面に平行な端面１７Ｃに斜線を付している。
【００４９】
図３に示すように、ミラー支持体１７は、上面１７Ａ、背面１７Ｂ、及び端面１７Ｃ、を含む端部（２１、２１）を有する。端部（２１、２１）は、ミラー支持体１７のｘ方向における両端である。換言すると、端部２１は、ミラー支持体１７を上面１７Ａに直交する方向（図３では、−ｙ方向）からみたとき、図示しない反射ミラー１５が離間する方向（図３では、ｚ方向）と直交する方向（図３では、ｘ方向）における両端である。第一実施形態では、一例として、ミラー支持体１７は、１２個の端部２１を有する。
【００５０】
図４を参照してミラー支持体１７について説明を続ける。図４は、第一実施形態のミラー支持体１７を−ｘ方向にみたときの模式的な側面図である。なお、図４では、図３と同様に、端面１７Ｃに斜線を付している。
【００５１】
図４に示すように、ミラー支持体１７は、ｚ’方向に相互に離間して配置された複数のミラー載置部２３と、ｚ’方向に隣り合う２つのミラー載置部２３を連結する複数の連結部２５とを含む。なお、ｚ’方向が「所定の方向」に対応する。
【００５２】
ミラー載置部２３は、上面１７Ａ、２つの背面１７Ｂ、及び端面１７Ｃを含む。なお、図４では、２つの背面１７Ｂのうち、ｘ方向側の背面１７Ｂを図示し、−ｘ方向側の背面１７Ｂを図示していない。また、図示しないが、反射ミラー１５は、ミラー載置部２３上に載置される。ミラー支持体１７は、反射ミラー１５の個数と同数のミラー載置部２３を含む。第一実施形態では、ミラー支持体１７は、６個のミラー載置部２３と、５個の連結部２５とを含む。
【００５３】
図４に示すように、上面１７Ａに直交する方向（即ち、ｙ方向）に関し、端部２１の厚みｄ１は、連結部２５の厚みｄ２に比べて薄い。
【００５４】
図３に戻ってミラー支持体１７の説明を続ける。図３に示すように、端部２１は、ｘ方向に関し、連結部２５から突出するように形成されている。換言すると、端部２１は、ミラー支持体１７を上面１７Ａに直交する方向（図３では、−ｙ方向）からみたとき、ミラー載置部２３が離間する方向（図３では、ｚ方向）と直交する方向（図３では、ｘ方向）に関し、連結部２５から突出するように形成されている。
【００５５】
［第一実施形態による作用効果］
第一実施形態のミラー装置１３によれば、図２に示すように、固定部材１９は、各反射ミラー１５のｘ方向における両端と、ミラー支持体１７のｘ方向における両端とを挟んで固定する。即ち、固定部材１９は、ミラー載置部２３の端部２１（図３参照）と、反射ミラー１５のうち、当該端部２１に載置された領域との双方を挟んで固定する。これにより、第一実施形態のミラー装置１３によれば、接着剤を使用することなく固定部材１９を使用して、反射ミラー１５をミラー支持体１７上に保持可能となる。その結果、各反射ミラー１５が非平行の状態でミラー支持体１７に支持されることを抑制でき、反射光の利用効率の悪化や光源装置の出力低下を抑制できる。
【００５６】
また、第一実施形態のミラー装置１３によれば、図３及び図４に示すように、ミラー支持体１７のミラー載置部２３には、連結部２５の厚みに比べて薄い厚みを持つ端部２１が、形成される。これにより、固定部材１９は、比較的厚みが薄い当該端部２１を挟むことが可能となる。
【００５７】
また、当該端部２１は、連結部２５からｘ方向及び−ｘ方向に突出するように形成される。このように、当該端部２１が連結部２５から突出することで、固定部材１９は当該端部２１を挟みやすい。
【００５８】
また、ミラー支持体１７のミラー載置部２３には、図３に示すように、反射ミラー１５の反射面１５Ａに平行な背面１７Ｂが形成される。これにより、固定部材１９は、図２に示すように、反射ミラー１５の反射面１５Ａと、ミラー支持体１７の背面１７Ｂとに接するように反射ミラー１５及びミラー支持体１７を挟むことが可能となる。即ち、固定部材１９は、平行な二つの面（即ち、反射面１５Ａ及び背面１７Ｂ）を挟んで双方を固定することができる。
【００５９】
以上のように、第一実施形態のミラー装置１３によれば、固定部材１９により挟みやすいミラー支持体１７を提供できる。
【００６０】
さらに、第一実施形態のミラー装置１３によれば、図２に示すように、固定部材１９は、隣り合う二つの反射ミラー１５の反射面１５Ａの間の空間に収まるように設置される。これにより、ミラー装置１３の全体が占めるスペースの拡大化を抑制でき、光源装置１の小型化を図ることができる。
【００６１】
（第二実施形態）
以下、第二実施形態について説明する。第二実施形態は、第一実施形態と、ミラー装置１３に代わりミラー装置２７を有する点で異なる。以下では第二実施形態のミラー装置２７が、第一実施形態のミラー装置１３と異なる点を重点的に説明する。
【００６２】
図５に、第二実施形態のミラー装置２７を模式的に示す全体斜視図を示す。なお、図５では、各反射ミラー１５の反射面１５Ａに斜線を付している。
【００６３】
図５に示すように、ミラー装置２７は、複数の反射ミラー１５（第二実施形態では６個）と、ミラー支持体２９と、複数の固定部材３０（第二実施形態では１２個）とを有する。
【００６４】
ミラー支持体２９は、第一実施形態のミラー支持体１７と異なる形状を有する。ミラー支持体２９について、詳細は後述する。
【００６５】
固定部材３０は、第一実施形態のミラー装置１３と同様に、反射ミラー１５のｘ方向における両端と、ミラー支持体２９のｘ方向における両端とを挟んで固定する。
【００６６】
続いて、図６及び図７を参照して、第二実施形態におけるミラー支持体２９について説明する。図６は、第二実施形態のミラー支持体２９の模式的な全体斜視図である。
【００６７】
図６に示すように、ミラー支持体２９は、反射ミラー１５（図示略）が載置される上面２９Ａを含む。上面２９Ａは、反射ミラー１５の反射面１５Ａ（図示略）と平行な面である。第二実施形態では、ミラー支持体２９は、一例として、６個の上面２９Ａを含む。なお、図６では、上面２９Ａに斜線を付している。
【００６８】
ミラー支持体２９は、上面２９Ａの反対側（即ち、−ｙ方向側）に、上面２９Ａに平行な背面２９Ｂを含む。第二実施形態では、背面２９Ｂは、ミラー支持体２９のｘ方向（即ち、反射ミラー１５の長手方向）における両端に形成される。即ち、１つの上面２９Ａに対し、２つの背面２９Ｂが形成されている。なお、図６では、ｘ方向側に形成される背面２９Ｂを図示し、−ｘ方向側に形成される背面２９Ｂについては図示していない。
【００６９】
図６に示すように、ミラー支持体２９は、上面２９Ａ及び背面２９Ｂを含む端部３１を有する。端部３１は、ミラー支持体２９のｘ方向における両端である。換言すると、端部３１は、ミラー支持体２９を上面２９Ａに直交する方向（図６では、−ｙ方向）からみたとき、図示しない反射ミラー１５が離間する方向（図６では、ｚ方向）と直交する方向（図６では、ｘ方向）における両端である。なお、図６では、ｘ方向側に位置する端部３１を図示し、−ｘ方向側の端部３１については図示していない。第二実施形態では、一例として、ミラー支持体２９は、１２個の端部３１を有する。
【００７０】
図６に示すように、端部３１は、ミラー支持体２９に凹部３４を形成するように設けられている。なお、図６では、ｘ方向側に形成される凹部３４を図示し、−ｘ方向側に形成される凹部３４については図示していない。
【００７１】
図７を参照してミラー支持体２９について説明を続ける。図７は、第二実施形態のミラー支持体２９を−ｘ方向にみたときの模式的な側面図である。なお、図７では、ミラー支持体２９を−ｘ方向からみたときに現れる凹部３４（図６参照）の底面に斜線を付している。
【００７２】
図７に示すように、ミラー支持体２９は、ｚ’方向に相互に離間して配置された複数のミラー載置部３３と、ｚ’方向に隣り合う２つのミラー載置部３３を連結する複数の連結部３５とを含む。なお、ｚ’方向が「所定の方向」に対応する。
【００７３】
ミラー載置部３３は、上面２９Ａ、及び、２つの背面２９Ｂを含む。図示しないが、反射ミラー１５は、ミラー載置部３３上に載置される。ミラー支持体２９は、反射ミラー１５の個数と同数のミラー載置部３３を含む。第二実施形態では、ミラー支持体２９は、６個のミラー載置部３３と、５個の連結部３５とを含む。
【００７４】
図７に示すように、上面２９Ａに直交する方向（即ち、ｙ方向）に関し、端部３１の厚みｄ３は、連結部２５の厚みｄ４に比べて薄い。
【００７５】
図６に戻ってミラー支持体２９の説明を続ける。図６に示すように、ミラー載置部３３のｘ方向における幅ｄ５は、連結部３５のｘ方向における幅ｄ５と同じである。より具体的には、ミラー載置部３３は、ミラー支持体２９を上面２９Ａに直交する方向（即ち、−ｙ方向）からみたとき、ミラー載置部３３が離間する方向（即ち、ｚ方向）と直交する方向（即ち、ｘ方向）に関し、連結部３５と同じ幅ｄ５を有する。
【００７６】
以上のように、第二実施形態のミラー支持体２９では、端部３１は、連結部３５から突出しないように連結部３５の端面２９Ｃ（図６参照）よりも内側に形成される。
【００７７】
［第二実施形態よる作用効果］
【００７８】
第二実施形態のミラー装置２７によれば、図５に示すように、固定部材３０は、各反射ミラー１５のｘ方向における両端と、ミラー支持体２９のｘ方向における両端とを挟んで固定する。即ち、固定部材３０は、ミラー載置部３３の端部３１と、反射ミラー１５のうち、当該端部３１に載置された領域との双方を挟んで固定する。これにより、接着剤を使用することなく固定部材３０を使用して、反射ミラー１５をミラー支持体２９上に保持可能となる。その結果、各反射ミラー１５が非平行の状態でミラー支持体２９に支持されることを抑制でき、反射光の利用効率の悪化や光源装置の出力低下を抑制できる。
【００７９】
また、第二実施形態のミラー装置２７によれば、図６及び図７に示すように、ミラー支持体２９のミラー載置部３３には、連結部３５の厚みに比べて薄い厚みを持つ端部３１が形成される。これにより、固定部材３０は、比較的厚みが薄い当該端部３１を挟むことが可能となる。
【００８０】
また、端部３１は、連結部３５から突出しないように、且つ、ミラー支持体２９に凹部３４を形成するように設けられている。これにより、凹部３４を利用して、固定部材３０をミラー支持体２９に取り付けることが可能となる。
【００８１】
また、ミラー支持体２９のミラー載置部３３には、図６に示すように、反射ミラー１５の反射面１５Ａに平行な背面２９Ｂが形成される。これにより、固定部材３０は、図５に示すように、平行な二つの面（即ち、反射面１５Ａ及び背面２９Ｂ）を挟むことが可能となる。
【００８２】
以上のように、第二実施形態のミラー装置２７によれば、固定部材３０により挟みやすいミラー支持体２９を提供できる。
【００８３】
［別実施形態］
〈１〉第一実施形態及び第二実施形態では、ミラー載置部（２３、３３）の端部（２１、３１）は、反射面１５Ａに平行な背面（１７Ｂ、２９Ｂ）を含むが、これに限らない。即ち、背面（１７Ｂ、２９Ｂ）は、反射面１５Ａに非平行な面であっても構わない。
【００８４】
〈２〉また、第一実施形態及び第二実施形態では、固定部材（１９、３０）は、例えばＳＵＳ３０１−ＣＳＰからなるクリップであると説明したが、これに限らない。即ち、固定部材（１９、３１）は、一例としてＳＵＰ３やＳＵＰ６等のばね鋼からなる、Ｕ字状断面を有する板バネであってもよい。換言すると、第一実施形態及び第二実施形態では、固定部材（１９、３０）は、反射ミラー１５の反射面１５Ａ及びミラー載置部（２３、３３）の背面（１７Ｂ、２９Ｂ）に接しているが、これに限らない。即ち、固定部材（１９、３０）は、反射ミラー１５の反射面１５Ａ及びミラー載置部（２３、３３）の背面（１７Ｂ、２９Ｂ）の少なくとも一点に接触すれば構わない。
【００８５】
〈３〉また、第一実施形態において、固定部材１９は、反射ミラー１５の反射面１５Ａ及びミラー支持体１７の端部２１の背面１７Ｂに接しているが、これに限らない。例えば、固定部材１９は、反射ミラー１５の反射面１５Ａと、反射ミラー１５のｘ−ｙ平面に平行な二つの側面に接するように、反射ミラー１５及びミラー支持体１７の端部２１を挟んでも構わない。同様に、固定部材１９は、背面１７Ｂと、反射ミラー１５のｘ−ｙ平面に平行な二つの側面に接するように、反射ミラー１５及びミラー支持体１７の端部２１を挟んでも構わない。以上を一般的に言えば、固定部材１９は、ミラー支持体１７の端部２１と、反射ミラー１５のうち、当該端部２１に載置された領域と、を挟むように構成されていればよい。
【００８６】
〈４〉また、第一実施形態及び第二実施形態では、固定部材（１９、３０）は、反射ミラー１５及びミラー支持体（１７、２９）のｘ方向における両端を挟んで固定するが、これに限らない。即ち、ミラー支持体（１７、２９）のうち、一方の端部（２１、３１）と、当該一方の端部（２１、３１）に載置された領域と、を挟むように構成されてもよい。また、ミラー支持体１７には、連結部２５から突出する端部２１が、ｘ方向における両端に形成されているが、一方だけに形成されても構わない。同様に、ミラー支持体２９には、ｘ方向における両端に端部３１が形成されているが、一方だけに形成されても構わない。
【００８７】
〈５〉また、第二実施形態では、ミラー載置部３３のｘ方向における幅と、連結部３５のｘ方向における幅とが同じであるが、これに限らない。即ち、ミラー載置部３３のｘ方向における幅が、連結部３５のｘ方向における幅に比べて短く構成されていてもよい。より一般的に言えば、ミラー載置部３３の端部３１は、ミラー支持体２９に凹部３４を形成するように設けられる。
【符号の説明】
【００８８】
１      ：    光源装置
１１      ：    光源部
１３      ：    第一実施形態のミラー装置
１５      ：    反射ミラー
１５Ａ      ：    反射面
１７      ：    第一実施形態のミラー支持体
１７Ａ      ：    上面
１７Ｂ      ：    背面
１９      ：    第一実施形態の固定部材
２１      ：    第一実施形態の端部
２３      ：    第一実施形態のミラー載置部
２５      ：    第一実施形態の連結部
２７      ：    第二実施形態のミラー装置
２９      ：    第二実施形態のミラー支持体
２９Ａ      ：    上面
２９Ｂ      ：    背面
３０      ：    第二実施形態の固定部材
３１      ：    第二実施形態の端部
３３      ：    第二実施形態のミラー載置部
３５      ：    第二実施形態の連結部
ｄ１、ｄ３    ：    端部の厚み
ｄ２、ｄ４    ：    連結部の厚み
ｄ５    ：    第二実施形態のミラー載置部及び連結部の幅
【図１】
2017156422.tif 000003
【図２】
2017156422.tif 000004
【図３】
2017156422.tif 000005
【図４】
2017156422.tif 000006
【図５】
2017156422.tif 000007
【図６】
2017156422.tif 000008
【図７】
2017156422.tif 000009